(57)【要約】【課題】  ナス環が係止環部に対して多方向に相対回転しても、係止環部から脱落するおそれがない２部材間の連結装置を提供する。【解決手段】２部材間の連結装置は、工具２１のような第１部材に取り付けられる係止部材１と、これに係止されるナス環３を一端側に有し他端側が作業者の安全帯のような第２部材に係止される連結ロープ２とを具備する。係止部材１は、係止環部６を有し、ナス環３は、フック７と閉止体８とを有する。閉止体８は、先端側がフック７の先端部の湾曲の内側に常時当接してフック７の開放部１１を常時閉塞するように弾性的に付勢される。係止環部６の幅Ｗとフックの湾曲部の内径Ｗ０との寸法比は、１に接近して設定され、それによって係止環部６とフック７のどのような相対回転位置においても、係止環部６が閉止体８を外側から開放方向に押圧不可能に構成される。【選択図】図５
2010236591.tif 000002
【特許請求の範囲】
【請求項１】
第1の部材に取り付けられる係止部材と、この係止部材に係止されるナス環を一端側に有し他端側が第２の部材に係止される索体とを具備し、
前記係止部材は、前記第1の部材の表面から突出した係止環部を有し、
前記ナス環は、フックと閉止体とを有し、フックの基部には前記策体の一端が結合されると共に、閉止体の基端側が枢着され、閉止体は、先端側がフックの先端部の湾曲の内側に常時当接してフックの開放部を常時閉塞するように付勢され、
前記係止環部の幅と前記フックの湾曲部の内径との寸法比が、１に接近して設定され、それによって係止環部とフックのどのような相対回転位置においても係止環部が前記閉止体を外側から解放方向に押圧不可能に構成されることを特徴とする部材間の連結装置。
【請求項２】
高所作業工具に取り付けられる係止部材と、この係止部材に係止されるナス環を一端側に有し他端側が作業者のベルトに係止される連結ロープとを具備し、
前記係止部材は、前記工具の表面から突出した係止環部を有し、
前記ナス環は、フックと閉止体とを有し、フックの基部には前記連結ロープの一端が結合されると共に、閉止体の基端側が枢着され、閉止体は、先端側がフックの先端部の湾曲の内側に常時当接してフックの開放部を常時閉塞するように付勢され、
前記係止環部の幅と前記フックの湾曲部の内径との寸法比が、１に接近して設定され、それによって係止環部とフックのどのような相対回転位置においても係止環部が前記閉止体を外側から解放方向に押圧不可能に構成されることを特徴とする高所作業工具の落下防止装置。
【請求項３】
第1の部材に取り付けられる係止部材と、この係止部材に係止されるナス環を一端側に有し他端側が第２の部材に係止される索体とを具備し、
前記係止部材は、前記第1の部材の表面から突出した係止環部を有し、
前記ナス環は、フックと閉止体とを有し、フックの基部には前記策体の一端が結合されると共に、閉止体の基端側が枢着され、閉止体は、先端側がフックの先端部の湾曲の内側に常時当接してフックの開放部を常時閉塞するように付勢され、
前記係止環部が、湾曲した環状に形成され、係止環部が前記フックの湾曲部の内側に当接する点Ｘと係止環部が前記閉止体の外側に当接する点Ｚ間の距離Ｒ１と、点Ｘと閉止体の枢支点Ｙ間の距離Ｒ０との比が、１に接近して設定され、それによって係止環部とフックのどのような相対回転位置においても、係止環部が閉止体を外側から解放方向に押圧不可能に構成されることを特徴とする２部材間の連結装置。
【請求項４】
高所作業工具に取り付けられる係止部材と、この係止部材に係止されるナス環を一端側に有し他端側が作業者のベルトに係止される連結ロープとを具備し、
前記係止部材は、前記工具の表面から突出した係止環部を有し、
前記ナス環は、フックと閉止体とを有し、フックの基部には前記連結ロープの一端が結合されると共に、閉止体の基端側が枢着され、閉止体は、先端側がフックの先端部の湾曲の内側に常時当接してフックの開放部を常時閉塞するように付勢され、
前記係止環部が、湾曲した環状に形成され、係止環部が前記フックの湾曲部の内側に当接する点Ｘと係止環部が前記閉止体の外側に当接する点Ｚ間の距離Ｒ１と、点Ｘと閉止体の枢支点Ｙ間の距離Ｒ０との比が、１に接近して設定され、それによって係止環部とフックのどのような相対回転位置においても、係止環部が閉止体を外側から解放方向に押圧不可能に構成されることを特徴とする高所作業工具の落下防止装置。
【請求項５】
前記高所作業工具が、長尺丸棒状の柄部を有し、前記係止部材が、高所作業工具の柄部の外周に、円周方向に回転自在に、所定範囲で軸線方向に移動自在に取り付けられることを特徴とする請求項２又は４に記載の高所作業工具の落下防止装置。
【発明の詳細な説明】
【技術分野】
【０００１】
この発明は、２つの部材間を連結して両部材間の分離を防止するための連結装置、例えば高所作業工具と作業者の安全帯とを連結する落下防止装置のような連結装置に係り、特に高圧電線の鉄塔における高所作業で用いる停止不良碍子の検出器等の棒状工具が作業中に落下することを防止するのに適した落下防止装置に関する。
【背景技術】
【０００２】
従来、例えば、停止不良碍子の検出器のような長尺の棒状工具を用いて鉄塔上で作業を行う場合、複数の作業者が共同して行うことがある。工具は、落下防止のために、作業者との間が落下防止ロープで結ばれる。工具には、係止環部を有する係止部材が取り付けられ、落下防止ロープの先端には、係止環部に着脱可能に係止されるナス環が設けられる。共同作業では、鉄塔上で工具の受け渡しを必要とすることがあるが、このとき、工具の落下を防止するために、両作業者の落下防止ロープのナス環が係止環部に接続されたことを確認してから、受け渡し側の作業者がナス環を係止環部から外す作業手順がとられる。
高圧電線の鉄塔における高所作業で用いる検電器や接地工具等が作業中に落下することを防止するための棒状工具の落下防止具として、特許文献１に記載されたものが知られている。この落下防止具は、紐状部材を棒状工具の外周面の全周にわたって少なくとも１周以上密着可能に巻き付けて形成される。紐状部材は、棒状工具の外周面を摺動する弛緩状態と、紐状部材が棒状工具の外周面に密着する締付状態とに変換可能な落下防止環と、落下防止環に連接され、補助ロープのナス環を着脱可能な接続環とを備える。落下防止環に対し、補助ロープ及び接続環を介して、棒状工具の軸方向と交差する方向に力が加わった場合に、落下防止環が弛緩状態から締付状態に変換するように構成される。
【先行技術文献】
【特許文献】
【０００３】
【特許文献１】特開２００７−５３８３５号公報
【発明の概要】
【発明が解決しようとする課題】
【０００４】
上記従来の棒状工具の落下防止具のような２部材間の連結装置においては、紐状部材の接続環が柔軟で不定形となるので、作業者がナス環を着脱するのに手間取ることがある。例えば図６に示すように、係止部材３１を剛性のある金具で構成すれば、この不都合は解消されるが、ナス環３３が係止環部３２に対して多方向に相対回転可能であるため、図示の（ａ）,（ｂ）,（ｃ）のような方向に相対回転すると、閉止体３４が係止環部３２によって外側から押され（図（ｂ）,（ｃ））、フック３５が開いて係止環部３２から脱落する可能性があるという課題がある。
したがって、この出願に係る発明は、ナス環が係止環部に対して多方向に相対回転しても、係止環部から脱落するおそれがない２部材間の連結装置と高所作業工具の落下防止装置を提供することを目的としている。
【課題を解決するための手段】
【０００５】
以下、添付図面の符号を参照して説明するが、本発明はこれに限定されるものではない。
上記課題を解決するための、この出願に係る発明の２部材間の連結装置は、第1の部材に取り付けられる係止部材１と、この係止部材１に係止されるナス環３を一端側に有し他端側が第２の部材に係止される索体２とを具備する。係止部材１は、第1の部材の表面から突出した係止環部６を有する。ナス環３は、フック７と閉止体８とを有し、フック７の基部には索体２の一端が結合されると共に、閉止体８の基端側が枢着される。閉止体８は、先端側がフック７の先端部の湾曲の内側に常時当接してフック７の開放部１１を常時閉塞するように付勢される。係止環部６の幅Ｗとフック７の湾曲部１０の内径Ｗ０との寸法比は、１に接近して設定され、それによって係止環部６とフック７のどのような相対回転位置においても係止環部６が閉止体８を外側から解放方向に押圧不可能に構成される。
上記２部材間の連結装置を適用した落下防止装置は、高所作業工具２１に取り付けられる係止部材１と、この係止部材１に係止されるナス環３を一端側に有し他端側が作業者の安全帯に係止される連結ロープ２とを具備する。係止部材１は、工具２１の表面から突出した係止環部６を有する。ナス環３は、フック７と閉止体８とを有する。フック７の基部９には、連結ロープ２の一端が結合されると共に、閉止体８の基端側が枢着される。閉止体８は、先端側がフック７の先端部の湾曲の内側に常時当接してフック７の開放部１１を常時閉塞するように弾性的に付勢される。係止環部６の幅Ｗとフック７の湾曲部１０の内径Ｗ０との寸法比は、１に接近して設定され、それによって係止環部６とフック７のどのような相対回転位置においても、係止環部６が閉止体８を外側から開放方向に押圧不可能に構成される。
本発明に係る他の２部材間の連結装置及び落下防止装置では、係止環部６が、湾曲した環状に形成され、係止環部６がフック７の湾曲部１０の内側に当接する点Ｘと係止環部６が閉止体８の外側に当接する点Ｚ間の距離Ｒ１と、点Ｘと閉止体８の枢支点Ｙ間の距離Ｒ０との比が、１に接近して設定され、それによって係止環部６とフック７のどのような相対回転位置においても、係止環部６が閉止体８を外側から解放方向に押圧不可能に構成される。
【発明の効果】
【０００６】
この出願に係る発明の装置によれば、係止環部６とフック７のどのような相対回転位置においても、係止環部６が閉止体８を外側から解放方向に押圧することがないので、作業中、あるいは、例えば連結された工具２１の受け渡し中等に、不用意にナス環３が係止環部６から脱落することはなく、２部材間が離れることによる工具の落下のような事故を確実に防止することができる。
【図面の簡単な説明】
【０００７】
【図１】本発明に係る落下防止装置を取り付けた停止不良碍子検出器の正面図である。
【図２】図１の落下防止装置における係止部材の正面図である。
【図３】図１の落下防止装置における係止部材の平面図である。
【図４】係止部材における係止環とナス環との寸法比関係を示す説明図である。
【図５】係止部材における係止環の幅とナス環のフックの内径との関係を示す説明図である。
【図６】従来の脱落防止装置における係止環とナス環との離脱可能性を経過を追って示す説明図である。
【発明を実施するための形態】
【０００８】
図面を参照して、この発明の２部材間の連結装置を、高所作業工具の落下防止装置に適用した実施の形態を説明する。
図において、高所作業工具としての停止不良碍子検出器２１は、伸縮調整自在の長尺丸棒状の柄部２２の先端部に、計測対象である碍子の両端に接触させて電位差を検知するためのホーン２３を有する。
【０００９】
落下防止装置は、作業工具２１の柄部２２に取り付けられる係止部材１と、この係止部材１にナス環３を介して係止される連結ロープ２とを具備する。連結ロープ２は、一般にカールコードと称される伸縮自在のコードからなり、一端側にナス環３が固着され、他端側は作業者の安全帯Ｂに係止される。
【００１０】
図示の実施形態においては、高所作業工具２１の柄部２２の軸線方向に離れた適宜位置に、第１、第２の２つの係止部材１ａ，１ｂが取り付けられる。各係止部材１ａ，１ｂは、柄部２２の外周に、円周方向に回転自在に、また所定範囲で軸線方向に移動自在に取り付けられる。軸線方向の移動範囲は、各係止部材１ａ，１ｂの上下に位置して柄部２２の外周に取り付けられたストッパ４によって規定される。
【００１１】
図２，３に示すように、係止部材１は、柄部２２の外周に嵌め込まれるガイドリング５と、このガイドリング５の外周から半径方向外側へ突出するように相対向して設けられる一対の係止環部６とを具備する。係止環部６は、金属製の帯板材をほぼ円弧状に湾曲してなる。
【００１２】
ナス環３は、公知の構造のもので、フック７と閉止体８とを具備する。フック７は、基部９と基部から延出してほぼＪ字状に湾曲した湾曲部１０と、開放部１１とを有する。基部９には、連結環１２を介して連結ロープ２の一端が結合される。基部９にはまた、閉止体８の基端側が枢着される。閉止体８は、先端側がフック７の湾曲部１０の先端部内側に当接してフックの開放部１１を常時閉塞するように内装ばねにより弾性的に付勢される。
【００１３】
係止部材１とナス環３との不用意な離脱を防止するための第１の実施例では、図４に示すように、係止環部６が、滑らかに湾曲した環状に形成され、係止環部６がフック７の湾曲部１０の内側に当接する点Ｘと係止環部６が閉止体８の外側に当接する点Ｚ間の距離Ｒ１と、点Ｘと閉止体８の枢支点Ｙ間の距離Ｒ０との比が、１に接近して設定され、それによって係止環部とフックのどのような相対回転位置においても、係止環部６が閉止体８を外側から解放方向に押圧不可能に構成される。すなわち、係止環部６が閉止体８こじることにより、閉止体８が押し開かれる現象が生じるが、閉止体８を押す力は、その力点Ｚが、閉止体８の枢支点Ｙから離れるほど大きくなる。したがって、閉止体８が押し開かれないようにするには、力点Ｚを枢支点Ｙに近づければよい。そのためには、Ｒ１を大きくし、可及的にＲ０近づける必要がある。係止環部６の曲率半径Ｒが相対的に小さ過ぎると、Ｒ１を大きくとることができない。
【００１４】
同第２の実施例では、図５に示すように、係止環部６の幅Ｗとフック７の湾曲部１０の内径Ｗ０との寸法比が、１に接近するように設定され、それによって係止環部６とフック７の相対回転範囲を制限し、両者がどのような相対回転位置においても係止環部６が閉止体８を外側から解放方向に押圧することがないように構成される。フック７の湾曲部１０の内径Ｗ０との寸法比が、１に近いと、フック７の湾曲部１０内で、係止環部６が閉止体８を外側からこじる方向に相対回転することができないので、閉止体８の押し開きが防止される。
なお、図１に示すように、例えば、柄部２２の先端側の係止部材１（１ｃ）のように、係止部材１は、柄部２２の外周に固着することもできる。
【００１５】
この発明の実施形態に係る停止不良碍子の検出器のような長尺の作業工具２１を鉄塔上において作業者間で受け渡す場合、両作業者の位置関係に応じて、受け取り側作業者の連結ロープ２のナス環３を掛け止められる位置に係止部材１を移動させた上で、受け渡し側作業者が、工具２１を受け取り側作業者に差し出す。受け渡し側作業者は、受け取り側作業者が連結ロープ２のナス環３を係止部材１に掛け止めたことを確認してから、自身の連結ロープ２のナス環３を手元の係止部材１から取り外し、受け渡しが完了する。受け渡し中、工具がどのような動きをしても、ナス環３は係止部材１から外れることがなく、万一、工具が作業者の手から離れても、落下するおそれはない。
【００１６】
以上の落下防止装置の実施形態は、本発明における、係止部材１とこれに係合するナス環３との特殊条件の組み合わせに係る２部材間の連結装置を具体化したものであることが理解される。
【符号の説明】
【００１７】
１    係止部材
１ａ  係止部材
１ｂ  係止部材
１ｃ  係止部材
２    連結ロープ（索体）
３    ナス環
４    ストッパ
５    ガイドリング
６    係止環部
７    フック
８    閉止体
９    基部
１０  湾曲部
１１  開放部
１２  連結環
２１  高所作業工具（第１の部材）
２２  柄部
２３  ホーン
Ｂ    安全帯（第２の部材）
【図１】
2010236591.tif 000003
【図２】
2010236591.tif 000004
【図３】
2010236591.tif 000005
【図４】
2010236591.tif 000006
【図５】
2010236591.tif 000007
【図６】
2010236591.tif 000008